【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
ユーザの端末にコンポーネントの集合であるパッケージを提供するパッケージ提供方法であって、
前記コンポーネントの識別子として用いられるＣＲＩＤ（Ｃｏｎｔｅｎｔ  Ｒｅｆｅｒｅｎｃｅ  Ｉｄｅｎｔｉｆｉｅｒ）と該ＣＲＩＤに対するインスタンスメタデータ識別子（Ｉｎｓｔａｎｃｅ  Ｍｅｔａｄａｔａ  Ｉｄｅｎｔｉｆｉｅｒ）とを含むメタデータを生成するメタデータ生成ステップと、
該生成されたメタデータをユーザの端末に伝送する伝送ステップと
を含むことを特徴とするパッケージ提供方法。
【請求項２】
前記インスタンスメタデータ識別子が、
前記コンポーネントに対する位置の識別に用いられることを特徴とする請求項１に記載のパッケージ提供方法。
【請求項３】
前記インスタンスメタデータ識別子が、
前記コンポーネントの互いに異なるビット表現を有するインスタンスを識別することを特徴とする請求項１に記載のパッケージ提供方法。
【請求項４】
前記ビット表現が、
フォーマット、ビット率、アスペクト比の何れか１つ以上であることを特徴とする請求項３に記載のパッケージ提供方法。
【請求項５】
前記コンポーネントが、同じ内容を有する複数のコンポーネントであり、
前記ＣＲＩＤが、前記複数のコンポーネントに対して同じであることを特徴とする請求項３に記載のパッケージ提供方法。
【請求項６】
前記コンポーネントのインスタンスが、
互いに異なる位置に存在することを特徴とする請求項１に記載のパッケージ提供方法。
【請求項７】
前記インスタンスメタデータ識別子が、
前記メタデータにリストされることを特徴とする請求項６に記載のパッケージ提供方法。
【請求項８】
前記コンポーネントが、同じ内容を有する複数のコンポーネントであり、
前記ＣＲＩＤが、前記複数のコンポーネントに対して同じであることを特徴とする請求項６に記載のパッケージ提供方法。
【請求項９】
前記生成されたパッケージメタデータを独立に伝送、処理、更新され得る細部単位に分解して断片化（ｆｒａｇｍｅｎｔａｔｉｏｎ）する断片化ステップを更に含むことを特徴とする請求項１に記載のパッケージ提供方法。
【請求項１０】
前記断片化されたパッケージメタデータをカプセル化（ｅｎｃａｐｓｕｌａｔｉｏｎ）するカプセル化ステップを更に含むことを特徴とする請求項９に記載のパッケージ提供方法。
【請求項１１】
前記伝送ステップが、
前記カプセル化されたパッケージメタデータを単方向放送システム又はＩＰ網を利用した両方向システムを介して伝送することを特徴とする請求項１０に記載のパッケージ提供方法。
【請求項１２】
ユーザの端末にコンポーネントの集合であるパッケージを提供するパッケージ提供システムであって、
前記コンポーネントの識別子として用いられるＣＲＩＤと該ＣＲＩＤに対するインスタンスメタデータ識別子とを含むメタデータを生成するメタデータ生成部と、
前記生成されたメタデータをユーザの端末に伝送する伝送部と
を備えることを特徴とするパッケージ提供システム。
【請求項１３】
前記インスタンスメタデータ識別子が、
前記コンポーネントに対する位置の識別に用いられることを特徴とする請求項１２に記載のパッケージ提供システム。
【請求項１４】
前記インスタンスメタデータ識別子が、
前記コンポーネントの互いに異なるビット表現を有するインスタンスを識別することを特徴とする請求項１２に記載のパッケージ提供システム。
【請求項１５】
前記ビット表現が、
フォーマット、ビット率、アスペクト比の何れか１つ以上であることを特徴とする請求項１４に記載のパッケージ提供システム。
【請求項１６】
前記コンポーネントが、同じ内容を有する複数のコンポーネントであり、
前記ＣＲＩＤが、前記複数のコンポーネントに対して同じであることを特徴とする請求項１４に記載のパッケージ提供システム。
【請求項１７】
前記コンポーネントのインスタンスが、
互いに異なる位置に存在することを特徴とする請求項１２に記載のパッケージ提供システム。
【請求項１８】
前記インスタンスメタデータ識別子が、
前記メタデータにリストされることを特徴とする請求項１７に記載のパッケージ提供システム。
【請求項１９】
前記コンポーネントが、同じ内容を有する複数のコンポーネントであり、
前記ＣＲＩＤが、前記複数のコンポーネントに対して同じであることを特徴とする請求項１７に記載のパッケージ提供システム。
【請求項２０】
前記生成されたパッケージメタデータを独立に伝送、処理、更新され得る細部単位に分解して断片化する断片化部を更に備えることを特徴とする請求項１２に記載のパッケージ提供システム。
【請求項２１】
前記断片化されたパッケージメタデータをカプセル化するカプセル化部を更に備えることを特徴とする請求項２０に記載のパッケージ提供システム。
【請求項２２】
前記伝送部が、
前記カプセル化されたパッケージメタデータを単方向放送システム又はＩＰ網を利用した両方向システムを介して伝送することを特徴とする請求項２１に記載のパッケージ提供システム。
【請求項２３】
コンポーネントの集合であるパッケージを消費するパッケージ消費方法であって、
前記コンポーネントの識別子として用いられるＣＲＩＤと該ＣＲＩＤに対するインスタンスメタデータ識別子とを含むメタデータを受信するメタデータ受信ステップと、
該受信されたメタデータの前記ＣＲＩＤとインスタンスメタデータ識別子とを利用してコンポーネントを獲得する獲得ステップと
を含むことを特徴とするパッケージ消費方法。
【請求項２４】
前記インスタンスメタデータ識別子が、
前記コンポーネントに対する位置の識別に用いられることを特徴とする請求項２３に記載のパッケージ消費方法。
【請求項２５】
前記インスタンスメタデータ識別子が、
前記コンポーネントの互いに異なるビット表現を有するインスタンスを識別することを特徴とする請求項２３に記載のパッケージ消費方法。
【請求項２６】
前記ビット表現が、
フォーマット、ビット率、アスペクト比の何れか１つ以上であることを特徴とする請求項２５に記載のパッケージ消費方法。
【請求項２７】
前記コンポーネントが、同じ内容を有する複数のコンポーネントであり、
前記ＣＲＩＤが、前記複数のコンポーネントに対して同じであることを特徴とする請求項２５に記載のパッケージ消費方法。
【請求項２８】
前記コンポーネントのインスタンスが、
互いに異なる位置に存在することを特徴とする請求項２３に記載のパッケージ消費方法。
【請求項２９】
前記インスタンスメタデータ識別子が、
前記メタデータにリストされることを特徴とする請求項２８に記載のパッケージ消費方法。
【請求項３０】
前記コンポーネントが、同じ内容を有する複数のコンポーネントであり、
前記ＣＲＩＤが、前記複数のコンポーネントに対して同じであることを特徴とする請求項２８に記載のパッケージ消費方法。
【請求項３１】
前記受信ステップが、
前記パッケージメタデータを単方向放送システム又はＩＰ網を利用した両方向システムを介して受信することを特徴とする請求項２３に記載のパッケージ消費方法。
【請求項３２】
コンポーネントの集合であるパッケージを消費するユーザの端末であって、
前記コンポーネントの識別子として用いられるＣＲＩＤと該ＣＲＩＤに対するインスタンスメタデータ識別子とを含むメタデータを受信するメタデータ受信部と、
前記受信されたメタデータの前記ＣＲＩＤとインスタンスメタデータ識別子とを利用してコンポーネントを獲得する獲得部と
を備えることを特徴とするユーザの端末。
【請求項３３】
前記インスタンスメタデータ識別子が、
前記コンポーネントに対する位置の識別に用いられることを特徴とする請求項３２に記載のユーザの端末。
【請求項３４】
前記インスタンスメタデータ識別子が、
前記コンポーネントの互いに異なるビット表現を有するインスタンスを識別することを特徴とする請求項３２に記載のユーザの端末。
【請求項３５】
前記ビット表現が、
フォーマット、ビット率、アスペクト比の何れか１つ以上であることを特徴とする請求項３４に記載のユーザの端末。
【請求項３６】
前記コンポーネントが、同じ内容を有する複数のコンポーネントであり、
前記ＣＲＩＤが、前記複数のコンポーネントに対して同じであることを特徴とする請求項３４に記載のユーザの端末。
【請求項３７】
前記コンポーネントのインスタンスが、
互いに異なる位置に存在することを特徴とする請求項３２に記載のユーザの端末。
【請求項３８】
前記インスタンスメタデータ識別子が、
前記メタデータにリストされることを特徴とする請求項３７に記載のユーザの端末。
【請求項３９】
前記コンポーネントが、同じ内容を有する複数のコンポーネントであり、
前記ＣＲＩＤが、前記複数のコンポーネントに対して同じであることを特徴とする請求項３７に記載のユーザの端末。
【請求項４０】
前記受信部が、
前記パッケージメタデータを単方向放送システム又はＩＰ網を利用した両方向システムを介して受信することを特徴とする請求項３２に記載のユーザの端末。
【請求項４１】
コンポーネントの集合であるパッケージを提供するメタデータであって、
前記コンポーネントの識別子として用いられるＣＲＩＤと該ＣＲＩＤに対するインスタンスメタデータ識別子を含むことを特徴とするメタデータ。
【請求項４２】
前記インスタンスメタデータ識別子が、
前記コンポーネントに対する位置の識別に用いられることを特徴とする請求項４１に記載のメタデータ。
【請求項４３】
前記インスタンスメタデータ識別子が、
前記コンポーネントの互いに異なるビット表現を有するインスタンスを識別することを特徴とする請求項４１に記載のメタデータ。
【請求項４４】
前記ビット表現が、
フォーマット、ビット率、アスペクト比の何れか１つ以上であることを特徴とする請求項４３に記載のメタデータ。
【請求項４５】
前記コンポーネントが、同じ内容を有する複数のコンポーネントであり、
前記ＣＲＩＤが、前記複数のコンポーネントに対して同じであることを特徴とする請求項４３に記載のメタデータ。
【請求項４６】
前記コンポーネントのインスタンスが、
互いに異なる位置に存在することを特徴とする請求項４１に記載のメタデータ。
【請求項４７】
前記インスタンスメタデータ識別子が、
前記メタデータにリストされることを特徴とする請求項４６に記載のメタデータ。
【請求項４８】
前記コンポーネントが、同じ内容を有する複数のコンポーネントであり、
前記ＣＲＩＤが、前記複数のコンポーネントに対して同じであることを特徴とする請求項４６に記載のメタデータ。
【手続補正２】
【補正対象書類名】明細書
【補正対象項目名】００１０
【補正方法】変更
【補正の内容】
【００１０】
ユーザの端末にコンポーネントの集合であるパッケージを提供するパッケージ提供方法は、前記コンポーネントの識別子として用いられるＣＲＩＤ（Ｃｏｎｔｅｎｔ  Ｒｅｆｅｒｅｎｃｅ  Ｉｄｅｎｔｉｆｉｅｒ）と該ＣＲＩＤに対するインスタンスメタデータ識別子（Ｉｎｓｔａｎｃｅ  Ｍｅｔａｄａｔａ  Ｉｄｅｎｔｉｆｉｅｒ）と含むメタデータを生成するメタデータ生成ステップと、該生成されたメタデータをユーザの端末に伝送する伝送ステップとを含む。
【手続補正３】
【補正対象書類名】明細書
【補正対象項目名】００１１
【補正方法】変更
【補正の内容】
【００１１】
また、ユーザの端末にコンポーネントの集合であるパッケージを提供するパッケージ提供システムは、前記コンポーネントの識別子として用いられるＣＲＩＤと該ＣＲＩＤに対するインスタンスメタデータ識別子とを含むメタデータを生成するメタデータ生成部と、前記生成されたメタデータをユーザの端末に伝送する伝送部とを備える。
【手続補正４】
【補正対象書類名】明細書
【補正対象項目名】００１２
【補正方法】変更
【補正の内容】
【００１２】
また、コンポーネントの集合であるパッケージを消費するパッケージ消費方法は、前記コンポーネントの識別子として用いられるＣＲＩＤと該ＣＲＩＤに対するインスタンスメタデータ識別子とを含むメタデータを受信するメタデータ受信ステップと、該受信されたメタデータの前記ＣＲＩＤとインスタンスメタデータ識別子とを利用してコンポーネントを獲得する獲得ステップとを含む。
【手続補正５】
【補正対象書類名】明細書
【補正対象項目名】００１３
【補正方法】変更
【補正の内容】
【００１３】
また、コンポーネントの集合であるパッケージを消費するユーザの端末は、前記コンポーネントの識別子として用いられるＣＲＩＤと該ＣＲＩＤに対するインスタンスメタデータ識別子とを含むメタデータを受信するメタデータ受信部と、前記受信されたメタデータの前記ＣＲＩＤとインスタンスメタデータ識別子とを利用してコンポーネントを獲得する獲得部とを備える。
【手続補正６】
【補正対象書類名】明細書
【補正対象項目名】００１４
【補正方法】変更
【補正の内容】
【００１４】
また、コンポーネントの集合であるパッケージを提供するメタデータは、前記コンポーネントの識別子として用いられるＣＲＩＤと該ＣＲＩＤに対するインスタンスメタデータ識別子を含む。
【手続補正７】
【補正対象書類名】明細書
【補正対象項目名】００１５
【補正方法】削除
【補正の内容】